(57)【特許請求の範囲】
【請求項１】
データの入力および／または出力を行うためのデータ入出力接点および前記データ入出力接点以外の複数の接点に接続されるフレキシブルケーブルにおいて、
前記データ入出力接点に接続されるデータ信号パターンおよび複数の前記接点に接続される複数の信号パターンが形成されるデータ信号層と、前記データ信号層の表面を覆うとともに自身が断線したことを検知するための断線検知信号を伝える断線検知信号パターンが形成される第１断線検知信号層と、前記データ信号層の裏面を覆うとともに自身が断線したことを検知するための断線検知信号を伝える断線検知信号パターンが形成される第２断線検知信号層とを備える多層構造に形成され、
前記第１断線検知信号層および／または前記第２断線検知信号層では、前記断線検知信号パターンを避けた位置にシールドパターンが形成され、
前記データ信号パターンは、前記第１断線検知信号層の前記断線検知信号パターンと前記第２断線検知信号層の前記断線検知信号パターンとに覆われるように形成され、
前記信号パターンは、少なくともその一部が、前記シールドパターンが形成される前記第１断線検知信号層および／または前記第２断線検知信号層の前記断線検知信号パターンを避けるように形成されていることを特徴とするフレキシブルケーブル。
【請求項２】
前記データ信号層には、前記信号パターンとして、クロック信号を伝えるクロック信号パターンが形成され、
前記クロック信号パターンを除く前記信号パターンは、少なくともその一部が、前記シールドパターンに覆われるように形成され、
前記クロック信号パターンは、少なくともその一部が、前記シールドパターンを避けるように形成されていることを特徴とする請求項１記載のフレキシブルケーブル。
【請求項３】
一方向へ細長い長尺状に形成され、
前記シールドパターンが形成される前記第１断線検知信号層および／または前記第２断線検知信号層の前記断線検知信号パターンは、前記フレキシブルケーブルの幅方向の一端側に形成され、
前記クロック信号パターンは、前記フレキシブルケーブルの幅方向の他端部に形成されていることを特徴とする請求項２記載のフレキシブルケーブル。
【請求項４】
前記データ入出力接点および複数の前記接点に接続される接点接続部を備え、
前記接点接続部の面積は、前記データ入出力接点および複数の前記接点の配置領域の面積よりも広くなっていることを特徴とする請求項１から３のいずれかに記載のフレキシブルケーブル。
【請求項５】
前記接点接続部における前記第１断線検知信号層または前記第２断線検知信号層のいずれか一方の全域に前記断線検知信号パターンが形成されていることを特徴とする請求項４記載のフレキシブルケーブル。
【請求項６】
一方向へ細長い長尺状に形成され、
前記断線検知信号パターンは、前記フレキシブルケーブルの幅方向で複数回折り返されて形成されていることを特徴とする請求項１から５のいずれかに記載のフレキシブルケーブル。
【請求項７】
前記第１断線検知信号層および前記第２断線検知信号層には、前記断線検知信号パターンとの間の短絡を検知するための短絡検知信号を伝える短絡検知信号パターンが形成されていることを特徴とする請求項１から６のいずれかに記載のフレキシブルケーブル。
【請求項８】
請求項１から７のいずれかに記載のフレキシブルケーブルと、前記データ入出力接点および複数の前記接点とを備えることを特徴とする媒体処理装置。
【請求項９】
前記フレキシブルケーブルは、前記データ入出力接点および複数の前記接点に接続される接点接続部と、前記接点接続部に繋がるように形成され少なくとも前記データ入出力接点と前記接点接続部との接続部分を覆うように折り返されて前記接点接続部に固定される端子覆部とを備えることを特徴とする請求項８記載の媒体処理装置。
【請求項１０】
前記第１断線検知信号層および／または前記第２断線検知信号層には、前記断線検知信号の入力側の前記断線検知信号パターンである第１断線検知信号パターンと、前記断線検知信号の出力側の前記断線検知信号パターンである第２断線検知信号パターンとが形成され、
前記接点接続部および前記端子覆部には、前記第１断線検知信号パターンと前記第２断線検知信号パターンとを繋げるためのランドが形成され、
前記端子覆部の前記ランドが前記接点接続部の前記ランドに半田付けされることで、前記端子覆部が前記接点接続部に固定され、
前記端子覆部の前記ランドが前記接点接続部の前記ランドに半田付けされると、前記第１断線検知信号パターンと前記第２断線検知信号パターンとが繋がることを特徴とする請求項９記載の媒体処理装置。
【請求項１１】
前記フレキシブルケーブルが接続されるコネクタを備え、
前記断線検知信号パターンは、前記コネクタからの前記フレキシブルケーブルの抜けを検知する機能を果たしていることを特徴とする請求項８から１０のいずれかに記載の媒体処理装置。
【発明の詳細な説明】
【技術分野】
【０００１】
本発明は、データの入力や出力を行うためのデータ入出力接点およびデータ入出力接点以外の複数の接点に接続されるフレキシブルケーブルに関する。また、本発明は、かかるフレキシブルケーブルを備える媒体処理装置に関する。
【背景技術】
【０００２】
従来、接触式のＩＣカードとデータのやりとりを行うカードリーダが広く利用されている。この種のカードリーダでは、ＩＣカードの接続端子に接触する複数のＩＣ接点にフレキシブルケーブルが接続されている（たとえば、特許文献１参照）。特許文献１に記載のフレキシブルケーブルでは、フレキシブルケーブルを伝わる信号間のクロストークを低減するため、フレキシブルケーブルの一方の面に、電源パターン、グランドパターン、クロック信号パターンおよびデータ信号パターンが形成され、フレキシブルケーブルの他方の面に電源パターンおよびグランドパターンに繋がるシールドパターンが形成されている。
【０００３】
また、カードリーダが利用される業界においては、従来、犯罪者がカードに記録されたデータを不正に取得するデータの不正取得が大きな問題となっている。そこで、従来、データの不正取得を防止することが可能なフレキシブルケーブルが提案されている（たとえば、特許文献２参照）。特許文献２に記載のフレキシブルケーブルは、磁気ヘッドの信号端子に接続されている。このフレキシブルケーブルでは、磁気ヘッドからのデータ信号が送られるデータ信号パターンが形成された信号配線層の上下両面は、保護層によって覆われている。保護層には、断線検出機能を有する断線検出パターンと、短絡検出パターンとが形成されている。そのため、特許文献２に記載のフレキシブルケーブルでは、データ信号パターンにデータ不正取得用の信号線が取り付けられるのを防止することが可能になり、その結果、フレキシブルケーブルからのデータの不正取得を防止することが可能になる。
【先行技術文献】
【特許文献】
【０００４】
【特許文献１】特開２００１−３６２０２号公報
【特許文献２】特開２００８−２９３６２８号公報
【発明の概要】
【発明が解決しようとする課題】
【０００５】
上述のように、特許文献１に記載のフレキシブルケーブルでは、フレキシブルケーブルを伝わる信号間のクロストークを低減することが可能である。しかしながら、このフレキシブルケーブルでは、フレキシブルケーブルからのデータの不正取得を防止することが困難である。一方、特許文献２に記載のフレキシブルケーブルでは、フレキシブルケーブルからのデータの不正取得を防止することが可能である。しかしながら、このフレキシブルケーブルをＩＣカード用のカードリーダに用いた場合、断線検出パターンや短絡検出パターンの影響でクロストークが増加してしまう。
【０００６】
そこで、本発明の課題は、データの不正取得の防止とクロストークの低減とを両立させることが可能なフレキシブルケーブルを提供することにある。また、本発明の課題は、かかるフレキシブルケーブルを備える媒体処理装置を提供することにある。
【課題を解決するための手段】
【０００７】
上記の課題を解決するため、本発明のフレキシブルケーブルは、データの入力および／または出力を行うためのデータ入出力接点およびデータ入出力接点以外の複数の接点に接続されるフレキシブルケーブルにおいて、データ入出力接点に接続されるデータ信号パターンおよび複数の接点に接続される複数の信号パターンが形成されるデータ信号層と、データ信号層の表面を覆うとともに自身が断線したことを検知するための断線検知信号を伝える断線検知信号パターンが形成される第１断線検知信号層と、データ信号層の裏面を覆うとともに自身が断線したことを検知するための断線検知信号を伝える断線検知信号パターンが形成される第２断線検知信号層とを備える多層構造に形成され、第１断線検知信号層および／または第２断線検知信号層では、断線検知信号パターンを避けた位置にシールドパターンが形成され、データ信号パターンは、第１断線検知信号層の断線検知信号パターンと第２断線検知信号層の断線検知信号パターンとに覆われるように形成され、信号パターンは、少なくともその一部が、シールドパターンが形成される第１断線検知信号層および／または第２断線検知信号層の断線検知信号パターンを避けるように形成されていることを特徴とする。
【０００８】
本発明のフレキシブルケーブルでは、データ入出力接点に接続されるデータ信号パターンは、第１断線検知信号層の断線検知信号パターンと第２断線検知信号層の断線検知信号パターンとに覆われるように形成されている。そのため、犯罪者がデータ信号パターンへデータ不正取得用の信号線を取り付けようとしたときに、犯罪行為が行われていることを断線検知信号パターンを用いて検知することが可能になる。したがって、本発明では、データ信号パターンへのデータ不正取得用の信号線の取付を防止することが可能になり、その結果、フレキシブルケーブルからのデータの不正取得を防止することが可能になる。
【０００９】
また、本発明では、第１断線検知信号層および／または第２断線検知信号層では、断線検知信号パターンを避けた位置にシールドパターンが形成され、データ入出力接点以外の接点に接続される信号パターンは、少なくともその一部が、シールドパターンが形成される第１断線検知信号層および／または第２断線検知信号層の断線検知信号パターンを避けるように形成されている。そのため、本形態では、第１断線検知信号層や第２断線検知信号層に形成されるシールドパターンの作用でクロストークを低減することが可能になる。すなわち、本発明のフレキシブルケーブルでは、データの不正取得の防止とクロストークの低減とを両立させることが可能になる。
【００１０】
本発明において、データ信号層には、信号パターンとして、クロック信号を伝えるクロック信号パターンが形成され、クロック信号パターンを除く信号パターンは、少なくともその一部が、シールドパターンに覆われるように形成され、クロック信号パターンは、少なくともその一部が、シールドパターンを避けるように形成されていることが好ましい。このように構成すると、クロストークを低減しつつ、クロック信号の立上り速度および立下り速度を速くして、クロック信号波形のなまりを抑制することが可能になる。
【００１１】
本発明において、フレキシブルケーブルは、一方向へ細長い長尺状に形成され、シールドパターンが形成される第１断線検知信号層および／または第２断線検知信号層の断線検知信号パターンは、フレキシブルケーブルの幅方向の一端側に形成され、クロック信号パターンは、フレキシブルケーブルの幅方向の他端部に形成されていることが好ましい。このように構成すると、第１断線検知信号層の断線検知信号パターンと第２断線検知信号層の断線検知信号パターンとに覆われるように形成されるデータ信号パターンと、クロック信号パターンとの距離を離すことが可能になる。したがって、クロック信号に起因するデータ信号のノイズを低減することが可能になる。
【００１２】
本発明において、フレキシブルケーブルは、データ入出力接点および複数の接点に接続される接点接続部を備え、接点接続部の面積は、データ入出力接点および複数の接点の配置領域の面積よりも広くなっていることが好ましい。このように構成すると、接点接続部によって、データ入出力接点を完全に覆うことが可能になる。したがって、接点接続部によって、データ入出力接点にデータ不正取得用の信号線が取り付けられるのを防止することが可能になる。
【００１３】
本発明において、接点接続部における第１断線検知信号層または第２断線検知信号層のいずれか一方の全域に断線検知信号パターンが形成されていることが好ましい。このように構成すると、データ不正取得用の信号線をデータ入出力接点に取り付けようとして、フレキシブルケーブルを切ったときに、断線検知信号パターンが断線しやすくなる。したがって、犯罪者による犯罪行為を検知しやすくなる。
【００１４】
本発明において、フレキシブルケーブルは、一方向へ細長い長尺状に形成され、断線検知信号パターンは、フレキシブルケーブルの幅方向で複数回折り返されて形成されていることが好ましい。このように構成すると、データ不正取得用の信号線をデータ信号パターンに取り付けようとして、断線検知信号層を切ったときに、断線検知信号パターンが断線しやすくなる。したがって、犯罪者による犯罪行為を検知しやすくなる。
【００１５】
本発明において、第１断線検知信号層および第２断線検知信号層には、断線検知信号パターンとの間の短絡を検知するための短絡検知信号を伝える短絡検知信号パターンが形成されていることが好ましい。このように構成すると、断線検知信号が機能しないようにするために犯罪者が断線検知信号パターンに所定の細工を行った場合に、短絡検知信号パターンの短絡検知機能によって、犯罪行為が行われていることを検知することが可能になる。
【００１６】
本発明のフレキシブルケーブルは、データ入出力接点および複数の接点を備える媒体処理装置に用いることができる。この媒体処理装置では、フレキシブルケーブルからのデータの不正取得の防止とフレキシブルケーブルでのクロストークの低減とを両立させることが可能になる。
【００１７】
本発明において、フレキシブルケーブルは、データ入出力接点および複数の接点に接続される接点接続部と、接点接続部に繋がるように形成され少なくともデータ入出力接点と接点接続部との接続部分を覆うように折り返されて接点接続部に固定される端子覆部とを備えることが好ましい。このように構成すると、データ入出力接点と接点接続部との接続部分にデータ不正取得用の信号線が取り付けられるのを端子覆部によって防止することが可能になる。
【００１８】
本発明において、第１断線検知信号層および／または第２断線検知信号層には、断線検知信号の入力側の断線検知信号パターンである第１断線検知信号パターンと、断線検知信号の出力側の断線検知信号パターンである第２断線検知信号パターンとが形成され、接点接続部および端子覆部には、第１断線検知信号パターンと第２断線検知信号パターンとを繋げるためのランドが形成され、端子覆部のランドが接点接続部のランドに半田付けされることで、端子覆部が接点接続部に固定され、端子覆部のランドが接点接続部のランドに半田付けされると、第１断線検知信号パターンと第２断線検知信号パターンとが繋がることが好ましい。このように構成すると、接点接続部から端子覆部を剥がしにくくなる。したがって、データ入出力接点と接点接続部との接続部分にデータ不正取得用の信号線が取り付けられるのを効果的に防止することが可能になる。また、この場合には、接点接続部から端子覆部が剥がされると、端子覆部のランドが接点接続部のランドから離れるため、接点接続部から端子覆部が剥がされたときに、断線検知信号パターンの断線を検知することが可能になる。したがって、犯罪者による犯罪行為を早期に検知することが可能になる。
【００１９】
本発明において、媒体処理装置は、フレキシブルケーブルが接続されるコネクタを備え、断線検知信号パターンは、コネクタからのフレキシブルケーブルの抜けを検知する機能を果たしていることが好ましい。このように構成すると、犯罪者がデータ不正取得用の信号線をデータ信号パターンに取り付けようとして、フレキシブルケーブルをコネクタから引き抜いた場合に、断線検知信号パターンの抜け検知機能によって、犯罪行為が行われていることを検知することが可能になる。したがって、犯罪者による犯罪行為を早期に検知することが可能になる。
【発明の効果】
【００２０】
以上のように、本発明のフレキシブルケーブルでは、データの不正取得の防止とクロストークの低減とを両立させることが可能になる。また、本発明の媒体処理装置では、フレキシブルケーブルからのデータの不正取得の防止とフレキシブルケーブルでのクロストークの低減とを両立させることが可能になる。
【図面の簡単な説明】
【００２１】
【図１】本発明の実施の形態にかかる媒体処理装置の概略構成を説明するための側面図である。
【図２】図１に示すカードにＩＣ接点が接触している状態を示す平面図である。
【図３】図１に示すフレキシブルケーブルの平面図である。
【図４】図１に示すＩＣ接点とフレキシブルケーブルとの接続部の平面図である。
【図５】図４のＥ−Ｅ断面の断面図である。
【図６】図４のＦ−Ｆ断面の断面図である。
【図７】図３のＧ−Ｇ断面の断面図である。
【図８】図１に示すフレキシブルケーブル内の信号パターンの接続関係を示すブロック図である。
【図９】本発明の他の実施の形態にかかるＩＣ接点とフレキシブルケーブルとの接続部の断面図である。
【発明を実施するための形態】
【００２２】
以下、図面を参照しながら、本発明の実施の形態を説明する。
【００２３】
（媒体処理装置の概略構成）
図１は、本発明の実施の形態にかかる媒体処理装置１の概略構成を説明するための側面図である。図２は、図１に示すカード２にＩＣ接点５が接触している状態を示す平面図である。
【００２４】
本形態の媒体処理装置１は、記録媒体であるカード２に記録されたデータの読取りやカード２へのデータの書込みを行うカードリーダである。具体的には、媒体処理装置１は、ユーザが手動でカード２を装置内部に挿入するとともに装置内部から抜き取るいわゆるディップ式のカードリーダである。この媒体処理装置１は、所定の上位装置に搭載されて使用される。
【００２５】
媒体処理装置１は、カード２に記録された磁気データの読取りを行う磁気ヘッド３と、カード２に形成される端子部４に接触する８個のＩＣ接点５とを備えている。複数のＩＣ接点５には、フレキシブルケーブル６が接続されている。また、媒体処理装置１の内部には、カード２が通過するカード通過路８が形成されている。
【００２６】
カード２は、たとえば、厚さが０．７〜０．８ｍｍ程度の矩形状の塩化ビニール製のカードである。このカード２の一方の面には、磁気データが記録される磁気ストライプが形成されている。また、カード２の他方の面には、端子部４が形成されている。すなわち、本形態のカード２は、磁気ストライプ付きの接触式ＩＣカードである。なお、カード２には、通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２７】
端子部４は、図２に示すように、８個の接続端子４ａ〜４ｈを備えている。接続端子４ａは、電源用の端子であり、接続端子４ｂは、リセット信号用の端子であり、接続端子４ｃは、クロック信号用の端子であり、接続端子４ｅは、接地（グランド）用の端子であり、接続端子４ｆは、プログラム電源用の端子であり、接続端子４ｇは、データの入出力を行うためのデータ入出力用の端子である。また、接続端子４ｄ、４ｈは、予備用の端子である。
【００２８】
磁気ヘッド３は、その磁気ギャップがカード通過路８に臨むように配置されている。本形態では、ユーザが装置内部へカード２を差し込む際、あるいは、装置内部に差し込まれたカード２を引き抜く際に、磁気ヘッド３によって、カード２の磁気データが読み取られる。
【００２９】
ＩＣ接点５は、媒体処理装置１の奥端側に配置されており、ＩＣ接点ブロック９に位置決めされて保持されている。ＩＣ接点ブロック９には、たとえば、レバー部材１０と、カード２の挿入側に向かってＩＣ接点ブロック９を付勢する引張りコイルバネ（図示省略）とが取り付けられている。本形態では、ＩＣ接点ブロック９の奥端に形成されるカード当接部９ａにカード２が当接すると、レバー部材１０が回動して、８個のＩＣ接点５のそれぞれが接続端子４ａ〜４ｈに接触するように、ＩＣ接点ブロック９が移動する。端子部４にＩＣ接点５が接触すると、媒体処理装置１とカード２との間で、データのやりとりが可能になる。また、この状態でカード２が引き抜かれると、引張りコイルバネの付勢力で、ＩＣ接点ブロック９が移動して、ＩＣ接点５がカード通過路８から退避する。本形態では、接続端子４ｇに接触するＩＣ接点５は、データの入出力を行うためのデータ入出力接点であり、その他のＩＣ接点５は、データ入出力接点以外の接点である。
【００３０】
フレキシブルケーブル６の一端側は、８個のＩＣ接点５に接続され、フレキシブルケーブル６の他端側は、媒体処理装置１が搭載される上位装置に設けられたコネクタ（図示省略）に接続されている。このコネクタは、上位装置の、セキュリティ性が確保された領域に実装されている。以下、フレキシブルケーブル６、および、ＩＣ接点５とフレキシブルケーブル６との接続部の構成について説明する。
【００３１】
（フレキシブルケーブルの構成、ＩＣ接点とフレキシブルケーブルとの接続部の構成）
図３は、図１に示すフレキシブルケーブル６の平面図である。図４は、図１に示すＩＣ接点５とフレキシブルケーブル６との接続部の平面図である。図５は、図４のＥ−Ｅ断面の断面図である。図６は、図４のＦ−Ｆ断面の断面図である。図７は、図３のＧ−Ｇ断面の断面図である。図８は、図１に示すフレキシブルケーブル６内の信号パターンの接続関係を示すブロック図である。
【００３２】
フレキシブルケーブル６は、一方向へ細長い長尺状に形成されている。このフレキシブルケーブル６は、図３に示すように、ＩＣ接点５に接続される８個の接点用ランド１５が形成される接点接続部６ａと、接続端子４ｅ〜４ｈに接触するＩＣ接点５と接点用ランド１５との接続部分を覆うように折り返されて接点接続部６ａに固定される端子覆部としての折返し部６ｂとを備えている。また、フレキシブルケーブル６の長手方向の一端側には、上位装置のコネクタに接続される接続端子部１６が形成されている。
【００３３】
接点接続部６ａは、フレキシブルケーブル６の長手方向の他端側に形成されている。また、接点接続部６ａは、長方形状に形成されている。接点接続部６ａには、上述のように、８個の接点用ランド１５が形成されている。８個の接点用ランド１５は、フレキシブルケーブル６の表面６ｃに形成されている。接点用ランド１５は、フレキシブルケーブル６の長手方向において、ＩＣ接点ブロック９から突出するＩＣ接点５のＩＣ接点端子５ａ（図５参照）に半田付けされており、ＩＣ接点端子５ａに接点用ランド１５が半田付けされることで、複数のＩＣ接点５にフレキシブルケーブル６が固定されている。
【００３４】
折返し部６ｂは、フレキシブルケーブル６の長手方向で接点接続部６ａに繋がるように形成されている。接点接続部６ａの、接点接続部６ａと折返し部６ｂとの境界の近傍には、ランド１７が形成され、折返し部６ｂの、接点接続部６ａと折返し部６ｂとの境界の近傍には、ランド１８が形成されている。具体的には、フレキシブルケーブル６の長手方向に直交する幅方向における接点接続部６ａの両端側のそれぞれにランド１７が形成され、フレキシブルケーブル６の幅方向における折返し部６ｂの両端側のそれぞれにランド１８が形成されている。
【００３５】
折返し部６ｂは、図５に示すように、接続端子４ｅ〜４ｈに接触するＩＣ接点５のＩＣ接点端子５ａと接点用ランド１５との接続部分をＩＣ接点端子５ａ側から覆うように（すなわち、図５の下側から覆うように）折り返されて、接点接続部６ａに固定されている。折返し部６ｂが折り返されると、図６に示すようにランド１７とランド１８とが重なる。本形態では、ランド１７とランド１８とが半田付けされて、折返し部６ｂが接点接続部６ａに固定されている。また、接点接続部６ａと折返し部６ｂとの間には、接着剤１９が塗布されており、接着剤１９によっても、折返し部６ｂが接点接続部６ａに固定されている。
【００３６】
フレキシブルケーブル６の幅方向において、接点接続部６ａの幅と折返し部６ｂの幅とは、等しくなっている。また、フレキシブルケーブル６の幅方向において、接点接続部６ａおよび折返し部６ｂの幅は、フレキシブルケーブル６の他の部分の幅よりも広くなっている。図４に示すように、フレキシブルケーブル６の幅方向において、接点接続部６ａの幅は、８個のＩＣ接点５の配置領域Ｒの幅よりも広くなっている。また、フレキシブルケーブル６の長手方向において、接点接続部６ａの幅は、ＩＣ接点５の配置領域Ｒの幅よりも広くなっている。すなわち、接点接続部６ａの面積は、ＩＣ接点５の配置領域Ｒの面積よりも大きくなっている。また、接点接続部６ａは、ＩＣ接点５の配置領域Ｒの全域を完全に覆っている。
【００３７】
フレキシブルケーブル６は、図７に示すように、データ信号層２３と、断線検知信号層２４、２５と、絶縁層２６とを備える多層構造に形成されている。フレキシブルケーブル６では、フレキシブルケーブル６の表面６ｃから裏面６ｄに向かって、絶縁層２６、断線検知信号層２４、絶縁層２６、データ信号層２３、絶縁層２６、断線検知信号層２５および絶縁層２６がこの順番に積層されている。すなわち、データ信号層２３の表面は、絶縁層２６を介して断線検知信号層２４に覆われ、データ信号層２３の裏面は、絶縁層２６を介して断線検知信号層２５に覆われている。本形態の断線検知信号層２４は、第１断線検知信号層であり、断線検知信号層２５は、第２断線検知信号層である。
【００３８】
データ信号層２３には、接続端子４ｇに接触するＩＣ接点５からのデータ信号を媒体処理装置１が搭載される上位装置へ伝えるデータ信号パターン２７（図８参照）が形成されている。データ信号パターン２７の一端は、接点用ランド１５を介して接続端子４ｇに接触するＩＣ接点５に接続され、データ信号パターン２７の他端は、接続端子部１６に形成されるデータ入出力用端子２８に接続されている。なお、本形態のフレキシブルケーブル６には、データ信号パターン２７が接続されるスルーホールは形成されていない。
【００３９】
また、データ信号層２３には、データ信号パターン２７以外に７本の信号パターンが形成されている。すなわち、データ信号層２３には、接続端子４ａに接触するＩＣ接点５に接点用ランド１５を介してその一端が接続される電源パターン２９（図８参照）と、接続端子４ｂに接触するＩＣ接点５に接点用ランド１５を介してその一端が接続されるリセット信号パターン３０（図８参照）と、接続端子４ｃに接触するＩＣ接点５に接点用ランド１５を介してその一端が接続されるクロック信号パターン３１（図８参照）と、接続端子４ｄに接触するＩＣ接点５に接点用ランド１５を介してその一端が接続される予備パターン３２（図８参照）と、接続端子４ｅに接触するＩＣ接点５に接点用ランド１５を介してその一端が接続されるグランドパターン３３（図８参照）と、接続端子４ｆに接触するＩＣ接点５に接点用ランド１５を介してその一端が接続されるプログラム電源パターン３４（図８参照）と、接続端子４ｈに接触するＩＣ接点５に接点用ランド１５を介してその一端が接続される予備パターン３５（図８参照）とが形成されている。
【００４０】
電源パターン２９の他端は、接続端子部１６に形成される電源用端子３９に接続され、リセット信号パターン３０の他端は、接続端子部１６に形成されるリセット信号用端子４０に接続され、クロック信号パターン３１の他端は、接続端子部１６に形成されるクロック信号用端子４１に接続され、予備パターン３２の他端は、接続端子部１６に形成される予備用端子４２に接続されている。また、グランドパターン３３の他端は、接続端子部１６に形成されるグランド用端子４３に接続され、プログラム電源パターン３４の他端は、接続端子部１６に形成されるプログラム電源用端子４４に接続され、予備パターン３５の他端は、接続端子部１６に形成される予備用端子４５に接続されている。
【００４１】
断線検知信号層２４、２５には、断線検知信号パターン４７（図８参照）が形成されている。断線検知信号パターン４７は、データ信号パターン２７へのスキミング用の信号線の取付を防止するため、断線検知信号パターン４７自身が断線したことを検知するための断線検知信号を伝えている。この断線検知信号パターン４７は、フレキシブルケーブル６の幅方向に複数回折り返されて形成されており、全体として略網状に形成されている。断線検知信号層２４では、その全域に断線検知信号パターン４７が形成されている。
【００４２】
一方、断線検知信号層２５では、その一部に断線検知信号パターン４７が形成されており、断線検知信号パターン４７を避けた位置にシールドパターンが形成されている。すなわち、断線検知信号層２５には、図３に示すように、断線検知信号パターン４７が形成される断線検知領域４８と、シールドパターンが形成されるシールド領域４９とが形成されている。また、シールド領域４９の一部には、シールドパターンが形成されていない非シールド領域５０が形成されている。
【００４３】
断線検知領域４８は、フレキシブルケーブル６の幅方向の一端側に形成され、シールド領域４９は、フレキシブルケーブル６の幅方向の他端側に形成されている。接点接続部６ａおよび折返し部６ｂでは、断線検知領域４８の面積がシールド領域４９の面積よりも大きくなるように、断線検知領域４８およびシールド領域４９が形成されている。すなわち、接点接続部６ａおよび折返し部６ｂでは、その一部分を除いて、フレキシブルケーブル６の幅方向における断線検知領域４８の幅は、シールド領域４９の幅よりも広くなっている。
【００４４】
また、フレキシブルケーブル６の、接点接続部６ａおよび折返し部６ｂ以外の部分では、断線検知領域４８の面積とシールド領域４９の面積とがほぼ等しくなるように、断線検知領域４８およびシールド領域４９が形成されている。すなわち、フレキシブルケーブル６の、接点接続部６ａおよび折返し部６ｂ以外の部分では、フレキシブルケーブル６の幅方向における断線検知領域４８の幅とシールド領域４９の幅とが等しくなっている。
【００４５】
断線検知領域４８は、フレキシブルケーブル６の厚さ方向から見たときに、接続端子４ｄに接触するＩＣ接点５に接続される接点用ランド１５以外の７個の接点用ランド１５の全部および接続端子４ｄに接触するＩＣ接点５に接続される接点用ランド１５の一部と重なるように形成されている。また、フレキシブルケーブル６の長手方向において、折返し部６ｂが形成される側の反対側となる接点接続部６ａの一端側では、シールド領域４９は、フレキシブルケーブル６の幅方向の一端側に広がるように形成されており、フレキシブルケーブル６の厚さ方向から見たときに、シールド領域４９は、略Ｌ形状に形成されている。接点接続部６ａの一端側では、フレキシブルケーブル６の幅方向における断線検知領域４８の幅とシールド領域４９の幅とが等しくなっている。
【００４６】
非シールド領域５０は、フレキシブルケーブル６の幅方向の他端部に形成されている。また、非シールド領域５０は、フレキシブルケーブル６の、接点接続部６ａおよび折返し部６ｂ以外の部分と接点接続部６ａとの境界部から、接続端子部１６が形成されるフレキシブルケーブル６の長手方向の一端まで形成されている。フレキシブルケーブル６の幅方向における非シールド領域５０の幅は、１本の信号パターンを覆う程度の幅となっている。
【００４７】
データ信号パターン２７は、図３に示すように、フレキシブルケーブル６の厚さ方向から見たときに、断線検知領域４８内で引き回されている。すなわち、データ信号パターン２７は、断線検知信号層２４の断線検知信号パターン４７と、断線検知信号層２５の断線検知信号パターン４７とに覆われるように形成されている。
【００４８】
一方、データ信号パターン２７以外の７本の信号パターン２９〜３５は、フレキシブルケーブル６の厚さ方向から見たときに、接点用ランド１５に接続される信号パターン２９〜３５の一端側を除いて、断線検知領域４８の外側を引き回されている。すなわち、信号パターン２９〜３５は、断線検知信号層２５の断線検知信号パターン４７を避けるように形成されている。
【００４９】
具体的には、電源パターン２９、リセット信号パターン３０、予備パターン３２、グランドパターン３３、プログラム電源パターン３４および予備パターン３５は、接点用ランド１５に接続されるその一端側を除いて、その裏面がシールド領域４９に覆われるように（すなわち、シールドパターンに覆われるように）形成されている。また、クロック信号を伝えるクロック信号パターン３１は、接点用ランド１５に接続されるその一端側を除いて、その裏面の一部分が接点接続部６ａのシールド領域４９に覆われるとともに、その裏面の大半部分が非シールド領域５０に覆われるように形成されている。すなわち、クロック信号パターン３１の大半部分は、シールドパターンを避けるように形成されており、フレキシブルケーブル６の、接点接続部６ａおよび折返し部６ｂ以外の部分では、フレキシブルケーブル６の幅方向の他端部に形成されている。
【００５０】
上述のように、断線検知信号層２４、２５には、断線検知信号パターン４７が形成されている。本形態では、断線検知信号パターン４７として、断線検知信号の入力側の断線検知信号パターン４７Ａと、断線検知信号の出力側の断線検知信号パターン４７Ｂとが断線検知信号層２４、２５に形成されている。本形態の断線検知信号パターン４７Ａは、第１断線検知信号パターンであり、断線検知信号パターン４７Ｂは、第２断線検知信号パターンである。
【００５１】
図８に示すように、断線検知信号パターン４７Ａの一端は、接点接続部６ａの一方のランド１７に接続されており、断線検知信号パターン４７Ａの他端は、接続端子部１６に形成される断線検知端子５２に接続されている。断線検知信号パターン４７Ｂの一端は、接点接続部６ａの他方のランド１７に接続されており、断線検知信号パターン４７Ｂの他端は、接続端子部１６に形成される断線検知端子５３に接続されている。折返し部６ｂに形成される一方のランド１８と他方のランド１８とは、ランド間信号パターン５４によって互いに接続されている。なお、断線検知信号パターン４７Ａの一端が、折返し部６ｂの一方のランド１８に接続され、断線検知信号パターン４７Ｂの一端が、折返し部６ｂの他方のランド１８に接続されても良い。この場合には、接点接続部６ａの一方のランド１７と他方のランド１７とがランド間信号パターンによって互いに接続される。
【００５２】
上述のように、ランド１７とランド１８とが半田付けされ、また、２個のランド１８間は、ランド間信号パターン５４によって接続されている。そのため、断線検知端子５２と断線検知端子５３とは、断線検知信号パターン４７Ａ、４７Ｂ、ランド１７、１８およびランド間信号パターン５４を介して電気的に接続されている。本形態では、断線検知端子５２を介して上位装置から入力される断線検知信号が断線検知端子５３を介して上位装置へ戻らないと、断線検知信号パターン４７Ａ、４７Ｂが断線したことが検知される。このように、本形態では、ランド１７、１８およびランド間信号パターン５４は、断線検知信号パターン４７Ａ、４７Ｂが機能するように、断線検知信号パターン４７Ａと断線検知信号パターン４７Ｂとを繋いでいる。
【００５３】
また、上位装置に設けられたコネクタからフレキシブルケーブル６が抜けていると、上位装置からフレキシブルケーブル６へ断線検知信号が入力されず、その結果、上位装置へ断線検知信号が戻らない。そのため、本形態では、断線検知信号パターン４７Ａ、４７Ｂを利用して、コネクタからのフレキシブルケーブル６の抜けを検知することもできる。すなわち、断線検知信号パターン４７Ａ、４７Ｂは、コネクタからのフレキシブルケーブル６の抜けを検知する機能も果たしている。
【００５４】
また、断線検知層２５の断線検知領域４８および断線検知信号層２４には、短絡検知信号パターン５５（図８参照）が形成されている。短絡検知信号パターン５５は、断線検知信号パターン４７と短絡検知信号パターン５５との間の短絡を検知するための短絡検知信号を伝えている。図８に示すように、短絡検知信号パターン５５の一端は、接続端子部１６に形成される短絡検知端子５６に接続され、短絡検知信号パターン５５の他端は、接続端子部１６に形成される短絡検知端子５７に接続されている。
【００５５】
（本形態の主な効果）
以上説明したように、本形態のフレキシブルケーブル６では、データ信号パターン２７は、断線検知信号層２４の断線検知信号パターン４７と、断線検知信号層２５の断線検知信号パターン４７とに覆われるように形成されている。そのため、犯罪者がデータ信号パターン２７へデータ不正取得用の信号線を取り付けようとしたときに、犯罪行為が行われていることを断線検知信号パターン４７を用いて検知することが可能になる。また、本形態のフレキシブルケーブル６には、データ信号パターン２７が接続されるスルーホールは形成されていない。したがって、本形態では、データ信号パターン２７へのデータ不正取得用の信号線の取付を防止することが可能になり、その結果、フレキシブルケーブル６からのデータの不正取得を防止することが可能になる。
【００５６】
また、本形態では、電源パターン２９、リセット信号パターン３０、予備パターン３２、グランドパターン３３、プログラム電源パターン３４および予備パターン３５は、接点用ランド１５に接続されるその一端側を除いて、その裏面がシールド領域４９に覆われるように形成されているため、シールド領域４９に形成されるシールドパターンの作用でクロストークを低減することが可能になる。すなわち、本形態では、データの不正取得の防止とクロストークの低減とを両立させることが可能になる。
【００５７】
本形態では、クロック信号パターン３１の大半部分は、非シールド領域５０に覆われるように形成されている。そのため、本形態では、クロック信号パターン３１を伝わるクロック信号の立上り速度および立下り速度を速くして、クロック信号波形のなまりを抑制することが可能になる。
【００５８】
本形態では、断線検知信号層２５の断線検知信号パターン４７は、フレキシブルケーブル６の幅方向の一端側に形成され、クロック信号パターン３１は、フレキシブルケーブル６の幅方向の他端部に形成されている。すなわち、本形態では、断線検知信号層２５の断線検知信号パターン４７に覆われるように形成されるデータ信号パターン２７は、フレキシブルケーブル６の幅方向の一端側に形成され、クロック信号パターン３１は、フレキシブルケーブル６の幅方向の他端部に形成されている。そのため、データ信号パターン２７とクロック信号パターン３１との距離を離すことが可能になる。したがって、本形態では、クロック信号に起因するデータ信号のノイズを低減することが可能になる。
【００５９】
本形態では、接点接続部６ａの面積は、ＩＣ接点５の配置領域Ｒの面積よりも大きくなっており、接点接続部６ａは、ＩＣ接点５の配置領域Ｒの全域を完全に覆っている。また、本形態では、折返し部６ｂは、接続端子４ｅ〜４ｈに接触するＩＣ接点５のＩＣ接点端子５ａと接点用ランド１５との接続部分を覆うように折り返されて、接点接続部６ａに固定されている。そのため、本形態では、接点接続部６ａおよび折返し部６ｂによって、接続端子４ｇに接触するＩＣ接点５、および、接続端子４ｇに接触するＩＣ接点５のＩＣ接点端子５ａと接点用ランド１５との接続部分を完全に覆うことができる。したがって、本形態では、接点接続部６ａおよび折返し部６ｂによって、接続端子４ｇに接触するＩＣ接点５にデータ不正取得用の信号線が取り付けられること、および、接続端子４ｇに接触するＩＣ接点５のＩＣ接点端子５ａと接点接続部６ａとの接続部分にデータ不正取得用の信号線が取り付けられることを防止することが可能になる。
【００６０】
特に本形態では、接点接続部６ａのランド１７と折返し部６ｂのランド１８とが半田付けされているため、接点接続部６ａから折返し部６ｂを容易に剥がすことができない。したがって、本形態では、接続端子４ｇに接触するＩＣ接点５と接点接続部６ａとの接続部分にデータ不正取得用の信号線が取り付けられるのを効果的に防止することが可能になる。
【００６１】
本形態では、断線検知信号層２４の全域に断線検知信号パターン４７が形成されている。そのため、接続端子４ｇに接触するＩＣ接点５にデータ不正取得用の信号線を取り付けようとして、フレキシブルケーブル６を切ったときに、断線検知信号パターン４７が断線しやすくなる。また、本形態では、断線検知信号パターン４７は、フレキシブルケーブル６の幅方向に複数回折り返されて形成されており、全体として略網状に形成されているため、接続端子４ｇに接触するＩＣ接点５やデータ信号パターン２７にデータ不正取得用の信号線を取り付けようとして、断線検知信号層２４、２５を切ったときに、断線検知信号パターン４７が断線しやすくなる。したがって、本形態では、犯罪者による犯罪行為を検知しやすくなる。
【００６２】
本形態では、半田付けされて固定される接点接続部６ａのランド１７および折返し部６ｂのランド１８と、ランド間信号パターン５４とによって、断線検知信号パターン４７Ａと断線検知信号パターン４７Ｂとが繋がれている。そのため、接点接続部６ａから折返し部６ｂが剥がされると、断線検知信号パターン４７の断線が検知される。したがって、本形態では、犯罪者による犯罪行為を早期に検知することが可能になる。
【００６３】
本形態では、断線検知層２５の断線検知領域４８および断線検知信号層２４に、断線検知信号パターン４７との間の短絡を検知するための短絡検知信号を伝える短絡検知信号パターン５５が形成されている。そのため、断線検知信号が機能しないようにするために、犯罪者が断線検知信号パターン４７に所定の細工を行った場合に、短絡検知信号パターン５５の短絡検知機能によって、犯罪行為が行われていることを検知することが可能になる。すなわち、本形態では、犯罪者による犯罪行為を検知しやすくなる。
【００６４】
本形態では、断線検知信号パターン４７を利用して、コネクタからのフレキシブルケーブル６の抜けを検知することが可能である。そのため、犯罪者がスキミング用の信号線をデータ信号パターン２７に取り付けようとして、フレキシブルケーブル６をコネクタから引き抜いたときに、断線検知信号パターン４７の抜け検知機能によって、犯罪行為が行われていることを検知することが可能になる。したがって、本形態では、犯罪者による犯罪行為を早期に検知することが可能になる。
【００６５】
（他の実施の形態）
上述した形態および変形例は、本発明の好適な形態の一例ではあるが、これに限定されるものではなく本発明の要旨を変更しない範囲において種々変形実施が可能である。
【００６６】
上述した形態では、接点接続部６ａに接点用ランド１５が形成され、接点用ランド１５は、フレキシブルケーブル６の長手方向においてＩＣ接点ブロック９から突出するＩＣ接点５のＩＣ接点端子５ａに半田付けされている。この他にもたとえば、図９に示すように、接点接続部６ａにスルーホール６ｅが形成されるとともに、フレキシブルケーブル６の厚さ方向においてＩＣ接点ブロック９から突出するＩＣ接点５のＩＣ接点端子５ａがスルーホール６ｅに挿通されて、半田付けされても良い。この場合には、接点接続部６ａは、スルーホール６ｅに挿通されるＩＣ接点５のＩＣ接点端子５ａを覆うように折り返される。また、接点接続部６ａの折り返し部分は、接着剤１９によって固定される。なお、この場合には、フレキシブルケーブル６に折返し部６ｂは形成されない。
【００６７】
上述した形態では、断線検知信号層２５にシールドパターンが形成されている。この他にもたとえば、断線検知信号層２４にシールドパターンが形成されても良い。また、断線検知信号層２４および断線検知信号層２５の両方にシールドパターンが形成されても良い。断線検知信号層２４および断線検知信号層２５の両方にシールドパターンが形成される場合であっても、データ信号パターン２７は、断線検知信号層２４の断線検知信号パターン４７と、断線検知信号層２５の断線検知信号パターン４７とに覆われるように形成される。
【００６８】
上述した形態では、媒体処理装置１は、ユーザが手動でカード２を装置内部に挿入するとともに装置内部から抜き取るディップ式のカードリーダである。この他にもたとえば、本発明の構成が適用される媒体処理装置は、カードの搬送機構を備えるカード搬送式のカードリーダであっても良い。また、本発明の構成が適用される媒体処理装置は、カードリーダ以外の装置であっても良い。
【００６９】
上述した形態では、フレキシブルケーブル６は、複数のＩＣ接点５に接続されているが、フレキシブルケーブル６は、ＩＣ接点５以外のデータ入出力接点および接点に接続されても良い。たとえば、フレキシブルケーブル６は、非接触式ＩＣカードの認証を行うＳＡＭ（Ｓｅｃｕｒｅ  Ａｐｐｌｉｃａｔｉｏｎ  Ｍｏｄｕｌｅ）が接続されるＳＡＭソケットのデータ入出力接点および接点に接続されても良い。
【符号の説明】
【００７０】
１  媒体処理装置
５  ＩＣ接点（データ入出力接点、接点）
６  フレキシブルケーブル
６ａ  接点接続部
６ｂ  折返し部（端子覆部）
１７、１８  ランド
２３  データ信号層
２４  断線検知信号層（第１断線検知信号層）
２５  断線検知信号層（第２断線検知信号層）
２７  データ信号パターン
２９  電源パターン（信号パターン）
３０  リセット信号パターン（信号パターン）
３１  クロック信号パターン（信号パターン）
３２  予備パターン（信号パターン）
３３  グランドパターン（信号パターン）
３４  プログラム電源パターン（信号パターン）
３５  予備パターン（信号パターン）
４７  断線検知信号パターン
４７Ａ  断線検知信号パターン（第１断線検知信号パターン）
４７Ｂ  断線検知信号パターン（第２断線検知信号パターン）
５５  短絡検知信号パターン
Ｒ  ＩＣ接点の配置領域（接点の配置領域）
【図１】
0005801073.tif 000002
【図２】
0005801073.tif 000003
【図３】
0005801073.tif 000004
【図４】
0005801073.tif 000005
【図５】
0005801073.tif 000006
【図６】
0005801073.tif 000007
【図７】
0005801073.tif 000008
【図８】
0005801073.tif 000009
【図９】
0005801073.tif 000010